【事件の表示】
　特願２００２−５６３８０１号「座業による問題点をなくすための椅子」拒絶査定不服審判事件〔平成１４年８月２２日国際公開、ＷＯ０２／６３９９８、平成１６年７月８日国内公表、特表２００４−５２０１３１号〕について、次のとおり審決する。
【結　論】
　本件審判の請求は、成り立たない。
【理　由】
Ｉ．手続の経緯
　本願は、平成１４年２月１４日（パリ条約による優先権主張　平成１３年２月１５日、（ＦＩ）フィンランド共和国、平成１３年８月２３日、（ＦＩ）フィンランド共和国）を国際出願日とする出願であって、平成１９年７月５日付けで拒絶理由が通知され、平成１９年１０月９日付けで意見書が提出されるとともに手続補正がなされたが、平成１９年１２月１８日付けで拒絶査定がなされ、これに対し、平成２０年３月１９日に拒絶査定不服審判の請求がなされ、平成２０年４月１８日付けで明細書についての手続補正がなされたものである。
　
II．平成２０年４月１８日付けの手続補正についての補正却下の決定
［補正却下の決定の結論］
　平成２０年４月１８日付けの手続補正（以下、「本件補正」という）を却下する。
　
［理由］
１．補正後の本願発明
　本件補正により、特許請求の範囲の請求項１は、次のように補正された。
「　　【請求項１】
座業による問題点をなくすための椅子であって、
　座った人の骨盤及び大腿筋を支持する鞍状座部品（１３）と、
　脚部部品（１２）と、
　前記鞍状座部品（１３）を前記脚部部品（１２）に取り付けるための取り付け装置（１）とを備え、
　
前記脚部部品（１２）は、前記鞍状座部品（１３）の高さを調節するための調節装置（１１）を有しており、
　前記鞍状座部品（１３）は、湾曲した側部品（３、５）によって形成されており、
　前記側部品（３、５）は、上部が湾曲しており且つ下部が所定の角度で下方に延びる鞍状形態で座を形成
し、前記鞍状座部品（１３）の上に人が脚部を或る程度前に傾けて座るように配置されており、
　前記側部品（３、５）は少なくとも二つの部品で形成され、これらの部品間に前記鞍状座部品（１３）に関して長さ方向の中央開口が形成されて
おり、
　
前記椅子は、前記脚部部品（１２）に取り付けられた取り付け装置（１）と、前記取り付け装置（１）及び前記側部品（３、５）に取り付けられた支持部品（２、４）と、前記側部品（３、５）を前記取り付け装置（１）に調節自在に取り付けるための調節装置（６−１０）とを有し、それによって、前記中央開口の大きさを調節することができる
（下線を施した部分は、補正された箇所を示す。）
　
２．補正の目的、新規事項の追加の有無
　本件補正は、請求項１に記載した発明を特定するために必要な事項である「脚部部品（１２）」に、「前記脚部部品（１２）は、前記鞍状座部品（１３）の高さを調節するための調節装置（１１）を有しており」との限定を付加し、請求項１に記載した発明を特定するために必要な事項である「側部品（３、５）」に、「前記鞍状座部品（１３）の上に人が脚部を或る程度前に傾けて座るように配置されており」との限定を付加し、請求項１に記載した発明を特定するために必要な事項である「椅子」に、「前記椅子は、前記脚部部品（１２）に取り付けられた取り付け装置（１）と、前記取り付け装置（１）及び前記側部品（３、５）に取り付けられた支持部品（２、４）と、前記側部品（３、５）を前記取り付け装置（１）に調節自在に取り付けるための調節装置（６−１０）とを有し、それによって、前記中央開口の大きさを調節することができる」との限定を付加するものであり、かつ、補正後の請求項１に記載された発明は、補正前の請求項１に記載された発明と、産業上の利用分野及び解決しようとする課題が同一であるので、本件補正は、平成１８年法律第５５号改正附則第３条第１項によりなお従前の例によるとされる同法による改正前の特許法第１７条の２第４項第２号の特許請求の範囲の減縮を目的とするものに該当する。
　そして、本件補正は、新規事項を追加するものではない。
　
３．独立特許要件
　そこで、本件補正後の前記請求項１に記載された発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
３−１．引用例の記載事項
（１）原査定の拒絶の理由に引用された、本願の出願前に頒布された刊行物である国際公開第００／００２４７０号（以下、「引用例１」という）には、図面と共に次の事項が記載されている。
（なお、引用例１の翻訳文として、引用例１に対応する日本語文献である特表２００２−５２００７７号公報を援用した。）
ア：「I A saddle chair which comprises a seat (1) which has a rounded center part (2), and side parts (3) which at least partially curve downwards at an angle from the center part in order to support the pelvis and thigh muscle of the seated person, said side parts (3) having front edges (4) which are at diagonal angles to one another and between them is formed a space (5), c h a r a c t e r i z e d in that the central edge section of the front edges (4) of the seat are curved backwards at an angle towards the center part ofthe seat (1) in order to form a space in between the edges which extends backwards.」（Claims） 
『【請求項１】  丸い中央部分（２）と、座る人の股間及び太腿の筋肉を支持するために中央部分から所定の角度で少なくとも一部が下方に湾曲している側方部分（３）と、を備えたシート（１）を有し、前記側方部分（３）は、互いに関して直角な前縁（４）を有し、前記前縁の間に空隙（５）が形成されているサドル型椅子において、前記シートの前縁（４）の中央縁部部分は、当該中央縁部部分の間に後方に延びている空隙を形成するためにシートの中央部分に向かって所定の角度で後方に曲がっていることを特徴とするサドル型椅子。』（特許請求の範囲）
　
イ：「The present invention relates to a saddle chair which comprises a seat which has a rounded center part and side parts which at least partially curve downwards at an angle from the center part in order to support the pelvis and thigh muscles of the seated person, said side parts having front edges which are at diagonal angles to one another and between them is formed a space.」（１頁３〜７行）
『本発明は、丸い中心部分を有するシートと、すわった人の骨盤と太腿の筋肉を支持するために中央部分から所定の角度で少なくとも一部が下方に湾曲する側方部分と、を備え、前記側方部分が前縁を有し、この前縁は、互いに直角であり、それらの間に空隙が形成されるサドル型椅子に関する。』（【0001】）　
　
ウ：「The present invention seeks to provide a chair which will eliminate the disadvantages associated with present-day chairs or seats. In particular, the invention seeks to provide a saddle chair which eliminates customary health and work productivity related problems which result from a seat or chair being used. Further, the invention seeks to provide a saddle chair which supports the seated person in a natural way which allows for increased air circulation in the inner thigh and pelvic area and which, when used, prevents the temperature of the testes from reaching as high a temperature as when common conventional seats are used.
　The object of the invention is accomplished with a saddle chair, the characteristics of which are set forth in the patent claims. 
　The center front edge section of the seat of a saddle chair formed in accordance with the invention is curved at an angle extending backwards towards the center part of the seat in order to form a space in between the edges which also extends backwards. A space like this fits to the form ofthe thigh and extends upwards close to the pelvic bone of the seated person. The space produces an increase in air circulation in the inner thigh and pelvic area of the seated person, which cools the tissue in that particular area and cools down male testes and reduces their temperature.
　The saddle chair has been structured and intended to bring about a natural and healthy way of sitting. The seat part of the chair guides the seated person to sit with the thighs at an approximate 45゜angle downwards and forward at an angle, which helps to keep the pelvis in a straight relaxed position and creates an important hollow at the base of the spine for the benefit of the back. A person sitting on the seat can sit balanced, upright and straight without back support. The side parts support the thighs in a kind of trough shaped for the thighs and the side parts are formed such that they are fitted to the contours of the thighs. The saddle chair supports the thighs along the length of the side parts in the direction of the thighs from the supporting point of the seat bone downwards. 」（２頁２３〜３頁２２行）
『本発明は、今日の椅子またはシートに関連した不利益をなくする椅子を提供することを目的とする。特に、本発明は、使用するシートまたは椅子から生じる習慣的な健康と作業生産性に関連する問題を解消するサドル型椅子を提供することで（当審注：「あ」の脱落）る。さらに、本発明は、内側の太腿及び骨盤の空気循環を増大することができる自然な方法で、座った人を支持し、使用するとき、サドル型椅子を提供し、このサドル型椅子は、睾丸の温度が一般的な従来のシートを使用するときと同じ温度に達することを防止する。
　本発明の目的は、特徴部分が特許請求の範囲に説明されているサドル型椅子によって達成される。
　本発明によって形成されたサドル型椅子のシートの中心の前縁部分は後方に延びる縁部の間に空隙を形成するようにシートの中央部分に向かって後方に延びる所定の角度で湾曲している。空隙は、太腿の形に適合し、シートに座った人の骨盤の骨に密接に上方に延びている。この空隙は、座った人の内側の太腿と骨盤の領域の空気の循環を増大する。これは、特定の領域の組織を冷却し、男性の睾丸を冷却し、温度を低下させる。
　このサドル型椅子は、自然で健康な方法の座りを実行するような構造であり、それを意図するものである。椅子のシート部分は、座る人を太腿が４５°下方になり、所定の角度で前方になるように案内し、これは、股間をまっすぐに伸ばした位置で保持し、背中の脊柱の基部に重要な中空部分をつくる上での補助となる。シートに座った人は、背中の支持がなくともバランスよく、直立してまっすぐに座ることができる。側方部分は、太腿の一種のトラフ形状で腿を支持し、側方部分は、それらが腿の輪郭に適合するように形成される。このサドル型椅子は、シートの骨の支持点から腿の方向に下方に側方部分の長さに沿って腿を支持する。』（【0006】〜【0008】）
  　
エ：「Naturally, when used the seat part is attached as such in a conventional way to the leg/foot, base or other corresponding part of the saddle chair, however the leg/foot part or the attachment to it are not essential, nor is the leg/foot part presented here. A seat part formed in accordance with the figures is attached to the leg/foot part so that the elevation is adjustable and Figure 1 illustrates an adjusting device 7 by which the seat elevation can be adjusted in a conventional way. 」（４頁２１〜２６行）
『自然に使用されるとき、シート部分は、脚部/足またはサドル型椅子の他の対応する部分に従来の方法で取り付けられるが、脚部/足の部分またはそれへの取付けは、重要なことではなく、ここでは脚部/足の部分も重要なことではない。この図面によって形成されるシート部分は、高さが調節可能であるように脚部/足の部分に取り付けられる。図１は、調整装置７を示しており、これによってシートの高さを従来の方法で調整することができる。』（【0011】）
　
オ：上記アの「丸い中央部分（２）と、座る人の股間及び太腿の筋肉を支持するために中央部分から所定の角度で少なくとも一部が下方に湾曲している側方部分（３）と、を備えたシート（１）」との記載、上記ウの「椅子のシート部分は、座る人を太腿が４５°下方になり、所定の角度で前方になるように案内し、これは、股間をまっすぐに伸ばした位置で保持し」との記載及び第１〜４図の図示内容からして、引用例１に記載されたサドル型椅子において、丸い中央部分と中央部分から所定の角度で少なくとも一部が下方に湾曲している側方部分とは、上部が湾曲しており且つ下部が所定の角度で下方に延びる鞍状形態で座を形成し、サドル型椅子のシートの上に人が脚部を或る程度前に傾けて座るように配置されているといえる。
　
カ：上記エの「この図面によって形成されるシート部分は、高さが調節可能であるように脚部/足の部分に取り付けられる。図１は、調整装置７を示しており、これによってシートの高さを従来の方法で調整することができる。」との記載及び第１〜４図の図示内容からして、引用例１に記載されたサドル型椅子は、サドル型椅子のシートを脚部/足の部分に取り付けるための取り付け装置とを備え、前記取り付け装置は、前記シートの高さを調節するための調整装置７を有しているといえる。
　
　これら記載事項及び図示内容を総合すると、引用例１には、次の発明（以下、「引用発明１」という）が記載されている。
「使用するシートまたは椅子から生じる習慣的な健康と作業生産性に関連する問題を解消するサドル型椅子であって、
　座った人の骨盤と太腿筋を支持するためのサドル型椅子のシートと、
　脚部/足の部分と、
　前記シートを前記脚部/足の部分に取り付けるための取り付け装置とを備え、
　前記取り付け装置は、前記シートの高さを調節するための調整装置７を有しており、
　前記シートは、丸い中央部分と該中央部分から所定の角度で少なくとも一部が下方に湾曲している側方部分とによって形成されており、
　前記中央部分と前記側方部分とは、上部が湾曲しており且つ下部が所定の角度で下方に延びる鞍状形態で座を形成し、前記シートの上に人が脚部を或る程度前に傾けて座るように配置されており、
　前記側方部分の前縁の間には空隙が形成されるサドル型椅子。」　
  　
（２）原査定の拒絶の理由に引用された、本願の出願前に頒布された刊行物である米国特許第５５８０１２８号明細書（以下、「引用例２」という）には、図面と共に次の事項が記載されている。（『』内は当審による仮訳である。）
　
サ：「This device is a seat the consists of two divided panels molded to curve up on the outer edge. The two sections are attached along the length of each to a support channel by a piano hinge. The support channel is secured to the base by means of adjustable bolts placed through multiple openings allowing the seat panels to be moved about on the base both to widen the seat area and ・・・ thus adding to the degree of comfort obtainable.」（１欄５〜１４行）
『この装置は、外縁側の上方に湾曲した形状の二つの分割されたパネルから構成されるシートである。二つの部材は各々ピアノヒンジによりサポートチャンネルの長さ方向に沿って取り付けられる。サポートチャンネルは、二つのシートパネルをベース上の両側に移動させてシート領域を拡げることができ・・・るように、複数の開口に位置調節可能なボルトを挿入してベースに固定され、かなり快適さを増すことができる。』
　
シ：「The therapeutic seat is a device consisting of two separate panels molded to the shape of the lower body and thighs. Each panel is attached to a support channel by riveting one face of a piano hinge to the panel and the other face to a support channel allowing the panel to tilt down towards the center along the length of the panel, the support channel is attached to a base by a nut and bolt combination to allow for various adjustments. 」（１欄６１行〜２欄１行）
『治療用シートは下半身と大腿部の形に合わされた二つの別々のパネルから構成される。各パネルは、パネルの長さ方向に沿った中央の下方に傾くことができるように、ピアノヒンジの一面をパネルにリベットで固定し、他の面をサポートチャンネルに固定することにより、サポートチャンネルに取り付けられる。サポートチャンネルはナットとボルトの組み合わせでベースに様々な位置に調節可能に取り付けられる。』
　
ス：「FIG. 6 shows the seat attached to a chair frame」（２欄４３行）
『第６図は椅子のフレームに取り付けられたシートを示す』
　
セ：「In summary, this adjustable seat device with separate hinged support panels will ease the distress of sitting for persons who suffer the after effects of an operation, giving birth, lower back problems, hemorrhoids and other conditions such as having a catheter inserted and for those who require the use of heavy pads for incontinence. 」（４欄５〜１０行）
『要約すると、別々のヒンジを備えたサポートパネルを備えたこの調整可能なシート装置は、手術の後の影響、出産、腰痛、痔疾で苦しむ人、カテーテルを挿入した状態のような人、失禁用の重いパッドを使用を要する人が座る際の苦痛を和らげる。』
　
ソ：「The unit can be attached to a chair frame or be used as a portable seat when traveling.」（４欄２５〜２６行）
『ユニットは椅子のフレームに取り付けることができるだけでなく、旅行中の携帯シートとして使用可能である。』
　
タ：第６図の図示内容からして、引用例２に記載された椅子は、脚部部品を備えているといえる。
　
チ：上記サの「サポートチャンネルは、二つのシートパネルをベース上を両側に移動させてシート領域を拡げることができ・・・るように、複数の開口に位置調節可能なボルトを挿入してベースに固定され」との記載及び第１〜６図の図示内容からして、引用例２に記載された椅子において、治療用シートは、パネルによって形成されており、前記パネルは少なくとも二つの部品で形成され、これらの部品間に前記シートに関して長さ方向の中央開口が形成されているといえる。
　
ツ：上記シの「各パネルは、・・・ピアノヒンジの一面をパネルにリベットで固定し、他の面をサポートチャンネルに固定することにより、サポートチャンネルに取り付けられる。サポートチャンネルはナットとボルトの組み合わせでベースに様々な位置に調節可能に取り付けられる。」との記載及び第１〜６図の図示内容からして、引用例２に記載された椅子は、脚部部品に取り付けられたベースと、前記ベースに取り付けられたサポートチャンネル及びパネルに固定されたピアノヒンジと、前記パネルを前記ベースに位置調節可能に取り付けるためのナットとボルトの組み合わせとを有し、それによって、前記パネルの部品間に治療用シートに関して長さ方向に形成された中央開口の大きさを調節することができるといえる。
　
　これら記載事項及び図示内容を総合すると、引用例２には、次の発明（以下、「引用発明２」という）が記載されている。　
「椅子であって、
　治療用シートと、
　脚部部品と、
　前記シートを前記脚部部品に取り付けるためのベースとを備え、
　前記シートは、パネルによって形成されており、
　前記パネルは少なくとも二つの部品で形成され、これらの部品間に前記シートに関して長さ方向の中央開口が形成されており、　
　前記椅子は、前記脚部部品に取り付けられたベースと、前記ベースに取り付けられたサポートチャンネル及びパネルに固定されたピアノヒンジと、前記パネルを前記ベースに位置調節可能に取り付けるためのナットとボルトの組み合わせとを有し、それによって、前記中央開口の大きさを調節することができる椅子。」
　
３−２．対比
　本願補正発明と引用発明１とを対比すると、引用発明１の「サドル型椅子」は、本願補正発明の「椅子」に相当し、以下同様に、「使用するシートまたは椅子から生じる習慣的な健康と作業生産性に関連する問題を解消する」は「座業による問題点をなくすための」に、「サドル型椅子のシート」は「鞍状座部品」に、「脚部/足の部分」は「脚部部品」にそれぞれ相当する。
　
　引用発明１の「前記取り付け装置は、前記シートの高さを調節するための調整装置７を有しており」と本願補正発明の「前記脚部部品（１２）は、前記鞍状座部品（１３）の高さを調節するための調節装置（１１）を有しており」とは、椅子が「前記鞍状座部品の高さを調節するための調節装置を有しており」という点で一致する。
　
　引用発明１の「前記シートは、丸い中央部分と該中央部分から所定の角度で少なくとも一部が下方に湾曲している側方部分とによって形成され」、本願補正発明の「前記鞍状座部品（１３）は、湾曲した側部品（３、５）によって形成されて」いるとともに、本願補正発明の「側部品（３、５）」は「側方部分」といえるから、引用発明１の「サドル型椅子のシート」と本願補正発明の「鞍状座部品（１３）」とは、「湾曲した側方部分」を含む点で一致する。　
　
　引用発明１の「丸い中央部分」及び「側方部分」と本願補正発明の「側部品（３、５）」とは、「鞍状座部品を形成する部材」である点で一致する。
　
  引用発明１の「前記中央部分と前記側方部分とは、上部が湾曲しており且つ下部が所定の角度で下方に延びる鞍状形態で座を形成し、前記シートの上に人が脚部を或る程度前に傾けて座るように配置されており」と本願補正発明の「前記側部品（３、５）は、上部が湾曲しており且つ下部が所定の角度で下方に延びる鞍状形態で座を形成し、前記鞍状座部品（１３）の上に人が脚部を或る程度前に傾けて座るように配置されており、」とは、「鞍状座部品を形成する部材は、上部が湾曲しており且つ下部が所定の角度で下方に延びる鞍状形態で座を形成し、前記鞍状座部品の上に人が脚部を或る程度前に傾けて座るように配置されており」という点で一致する。
　
　引用発明１の「前記側方部分の前縁の間には空隙が形成される」と本願補正発明の「前記側部品（３、５）は少なくとも二つの部品で形成され、これらの部品間に前記鞍状座部品（１３）に関して長さ方向の中央開口が形成されており」とは、「前記鞍状座部品に含まれる湾曲した側方部分の間に開口が形成されており」という点で一致する。
　
　そこで、本願補正発明と引用発明１とは次の点で一致する。
（一致点）
「座業による問題点をなくすための椅子であって、
　座った人の骨盤及び大腿筋を支持する鞍状座部品と、
　脚部部品と、
　前記鞍状座部品を前記脚部部品に取り付けるための取り付け装置とを備え、
　前記鞍状座部品の高さを調節するための調節装置を有しており、
　前記鞍状座部品は、湾曲した側方部分を含み、
　前記鞍状座部品を形成する部材は、上部が湾曲しており且つ下部が所定の角度で下方に延びる鞍状形態で座を形成し、前記鞍状座部品の上に人が脚部を或る程度前に傾けて座るように配置されており、　
　前記鞍状座部品に含まれる側方部分の間に開口が形成されている椅子。」
　
　そして、両者は次の相違点１，２で相違する。
　
（相違点１）
　本願補正発明では、「前記脚部部品（１２）は、前記鞍状座部品（１３）の高さを調節するための調節装置（１１）を有して」いるのに対して、引用発明１では、「前記取り付け装置は、前記シートの高さを調節するための調整装置７を有して」いる点。
　
（相違点２）
　本願補正発明では、「前記鞍状座部品（１３）は、湾曲した側部品（３、５）によって形成されており、
　前記側部品（３、５）は、上部が湾曲しており且つ下部が所定の角度で下方に延びる鞍状形態で座を形成し、前記鞍状座部品（１３）の上に人が脚部を或る程度前に傾けて座るように配置されており、　
　前記側部品（３、５）は少なくとも二つの部品で形成され、これらの部品間に前記鞍状座部品（１３）に関して長さ方向の中央開口が形成されており、　
　前記椅子は、前記脚部部品（１２）に取り付けられた取り付け装置（１）と、前記取り付け装置（１）及び前記側部品（３、５）に取り付けられた支持部品（２、４）と、前記側部品（３、５）を前記取り付け装置（１）に調節自在に取り付けるための調節装置（６−１０）とを有し、それによって、前記中央開口の大きさを調節することができる」のに対して、
　引用発明１では、「前記シートは、丸い中央部分と該中央部分から所定の角度で少なくとも一部が下方に湾曲している側方部分とによって形成されており、
　前記中央部分と前記側方部分とは、上部が湾曲しており且つ下部が所定の角度で下方に延びる鞍状形態で座を形成し、前記シートの上に人が脚部を或る程度前に傾けて座るように配置されており、
　前記側方部分の前縁の間には空隙が形成される」点。
　
３−３．相違点の判断
（１）上記相違点について検討する。
（相違点１について）
　引用発明１において、シートの高さを調節するための調整装置７（調節装置）を脚部/足の部分（脚部部品）に設け、相違点１に係る本願補正発明の発明特定事項とすることは、当業者が必要に応じて適宜成し得る設計事項である。
　
（相違点２について）
  引用発明２の「治療用シート」は「座部品」といえ、「パネル」は「側部品」といえ、「ベース」は「取り付け装置」といえる。　
　してみると、引用発明２の「前記ベースに取り付けられたサポートチャンネル及びパネルに固定されたピアノヒンジ」は「前記取り付け装置及び前記側部品に取り付けられた支持部品」といえ、引用発明２の「前記パネルを前記ベースに位置調節可能に取り付けるためのナットとボルトの組み合わせ」は「前記側部品を前記取り付け装置に調節自在に取り付けるための調節装置」といえる。
　以上によれば、引用発明２は、
「椅子であって、
　座部品と、
　脚部部品と、
　前記座部品を前記脚部部品に取り付けるための取り付け装置とを備え、
　前記座部品は、側部品によって形成されており、
　前記側部品は少なくとも二つの部品で形成され、これらの部品間に前記座部品に関して長さ方向の中央開口が形成されており、　
　前記椅子は、前記脚部部品に取り付けられた取り付け装置と、前記取り付け装置及び前記側部品に取り付けられた支持部品と、前記側部品を前記取り付け装置に調節自在に取り付けるための調節装置とを有し、それによって、前記中央開口の大きさを調節することができる椅子。」といえる。
　
　引用例１には「本発明は、今日の椅子またはシートに関連した不利益をなくする椅子を提供することを目的とする。特に、本発明は、使用するシートまたは椅子から生じる習慣的な健康と作業生産性に関連する問題を解消するサドル型椅子を提供することである。」（記載事項ウ）と記載されており、引用例２には「別々のヒンジを備えたサポートパネルを備えたこの調整可能なシート装置は、手術の後の影響、出産、腰痛、痔疾で苦しむ人、カテーテルを挿入した状態のような人、失禁に対する重いパッドを使用を要する人が座る際の苦痛を和らげる。」（記載事項セ）と記載されているから、引用発明１と引用発明２とは「座業による問題点をなくす」という共通の課題を有するといえる。
　加えて、引用例１に「この空隙は、座った人の内側の太腿と骨盤の領域の空気の循環を増大する。これは、特定の領域の組織を冷却し、男性の睾丸を冷却し、温度を低下させる。」（記載事項ウ）と記載されているように、引用発明１は、側方部分の前縁の間に空隙を形成することにより、座った人の内側の太腿と骨盤の領域の空気の循環を増大するものであって、側方部分の間の空隙が大きい程座った人の内側の太腿と骨盤の領域の空気の循環が増大することは明らかである。
　してみると、引用発明１において、座業による問題点をなくすとともに、側方部分の間の空隙を大きくして、座った人の内側の太腿と骨盤の領域の空気の循環を増大するために、引用発明２に係る「前記座部品は、側部品によって形成されており、前記側部品は少なくとも二つの部品で形成され、これらの部品間に前記座部品に関して長さ方向の中央開口が形成されて」いるとともに「前記中央開口の大きさを調節することができる」構成を適用し、相違点２に係る本願補正発明の発明特定事項とすることは、当業者が容易に想到し得る程度の事項である。
　
　そして、本願補正発明による効果も、引用発明１及び引用発明２から当業者が予測し得た程度のものであって、格別のものとはいえない。
　
　したがって、本願補正発明は、引用発明１及び引用発明２に基いて、当業者が容易に発明をすることができたものであるので、特許法第２９条第２項の規定により、特許出願の際独立して特許を受けることができない。
　
　
３−４．むすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
III.本願発明
　本件補正は、上記のとおり却下されたので、本願の請求項１に係る発明（以下、同項記載の発明を、「本願発明」という）は、拒絶査定時（平成１９年１０月９日付け手続補正により補正された）の明細書の、特許請求の範囲の請求項１に記載された事項により特定される、以下のとおりのものである。
「【請求項１】
座業による問題点をなくすための椅子であって、
　座った人の骨盤及び大腿筋を支持する鞍状座部品（１３）と、
　脚部部品（１２）と、
　前記鞍状座部品（１３）を前記脚部部品（１２）に取り付けるための取り付け装置（１）とを備え、
　前記鞍状座部品（１３）は、湾曲した側部品（３、５）によって形成されており、
　前記側部品（３、５）は、上部が湾曲しており且つ下部が所定の角度で下方に延びる鞍状形態で座を形成しており、
　前記側部品（３、５）は少なくとも二つの部品で形成され、これらの部品間に前記鞍状座部品（１３）に関して長さ方向の中央開口が形成されていることを特徴とする椅子。」
　
IV.引用例の記載事項
　原査定の拒絶の理由に引用された引用例１、引用例２及び、その記載事項は、前記II.３−１に記載したとおりである。
　
Ｖ．対比・判断
　本願発明は、前記II.１の本願補正発明から、「脚部部品（１２）」の限定事項である「前記脚部部品（１２）は、前記鞍状座部品（１３）の高さを調節するための調節装置（１１）を有しており」との構成を省き、「側部品（３、５）」の限定事項である「前記鞍状座部品（１３）の上に人が脚部を或る程度前に傾けて座るように配置されており」との構成を省き、「椅子」の限定事項である「前記椅子は、前記脚部部品（１２）に取り付けられた取り付け装置（１）と、前記取り付け装置（１）及び前記側部品（３、５）に取り付けられた支持部品（２、４）と、前記側部品（３、５）を前記取り付け装置（１）に調節自在に取り付けるための調節装置（６−１０）とを有し、それによって、前記中央開口の大きさを調節することができる」との構成を省いたものである。
　そうすると、本願発明の発明特定事項をすべて含み、さらに、他の発明特定事項を付加したものに相当する本願補正発明が、前記II.３−３に記載したとおり、引用発明１及び引用発明２に基いて、当業者が容易に発明をすることができたものであるから、本願発明も、同様に、引用発明１及び引用発明２に基づいて、当業者が容易に発明をすることができたものである。
　
VI.むすび
　以上のとおり、本願発明は、引用発明１及び引用発明２に基いて、当業者が容易に発明をすることができたものであるから、特許法第２９条第２項の規定により、特許を受けることができない。
　よって、結論のとおり審決する。